(57)【要約】【課題】配線を固定する際、配線を曲げる方向によって配線にかかる負荷の位置を変化させることで、配線の断線等の障害抑制を図ることを目的とする。【解決手段】本発明は、配線固定手段（例えば、図２のベース３、結束部材４、あるいは、図８のベース３、結束部３５）で配線を固定する遊技機において、配線固定手段は、配線を第１の方向に移動させた場合、配線の第１の箇所で曲がるようにし、配線を第２の方向に移動させた場合、配線の第２の箇所で曲がるようにしたことを特徴とする。【選択図】図２
2018186851.tif 000002
【特許請求の範囲】
【請求項１】
配線固定手段で配線を固定する遊技機において、
前記配線固定手段は、前記配線を第１の方向に移動させた場合、前記配線の第１の箇所で曲がるようにし、前記配線を第２の方向に移動させた場合、前記配線の第２の箇所で曲がるようにしたことを特徴とする
遊技機。
【請求項２】
前記配線固定手段は、固定部と、配線座と、を有し、
前記固定部は、前記配線座に前記配線を固定し、
前記配線座の前記配線が延在する方向の寸法は、前記固定部の前記配線が延在する方向の寸法よりも大きいことを特徴とする
請求項１に記載の遊技機。
【請求項３】
前記配線座は、複数の前記固定部で固定されることを特徴とする
請求項２に記載の遊技機。
【請求項４】
前記配線座の端部は、面取りされていることを特徴とする
請求項２または請求項３に記載の遊技機。
【請求項５】
前記配線座は、前記配線を配置するための収容部を有することを特徴とする
請求項２から請求項４の何れか１項に記載の遊技機。
【請求項６】
前記配線座から前記配線が延在する領域において、前記配線を配置するための補助収容部を有する補助配線座が設けられていることを特徴とする
請求項２から請求項５の何れか１項に記載の遊技機。
【発明の詳細な説明】
【技術分野】
【０００１】
本発明は、遊技を行うことが可能なパチンコ遊技機等の遊技機、特に、配線を使用して電源供給あるいは通信を行う遊技機に関する。
【背景技術】
【０００２】
遊技機として、遊技媒体である遊技球を発射装置によって遊技領域に発射し、遊技領域に設けられている入賞口などの入賞領域に遊技球が入賞すると、所定個の賞球が遊技者に払い出されるものがある。さらに、識別情報を可変表示（「変動」ともいう。）可能な可変表示装置が設けられ、可変表示装置において識別情報の可変表示の表示結果が特定表示結果となった場合に、所定の遊技価値を遊技者に与えるように構成されたものがある。
【０００３】
なお、遊技価値とは、遊技機の遊技領域に設けられた可変入賞球装置が、打球の入賞しやすい遊技者にとって有利な状態になることや、遊技者にとって有利な状態になるための権利を発生させたりすることや、賞球払出の条件が成立しやすくなる状態になることである。
【０００４】
パチンコ遊技機では、始動入賞口（始動領域）に遊技球が入賞したことにもとづいて可変表示装置において開始される特別図柄（識別情報）の可変表示の表示結果として、あらかじめ定められた特定の表示態様が導出表示された場合に、「大当り」が発生する。なお、導出表示とは、図柄を停止表示させることである（いわゆる再変動の前の停止を除く。）。大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。なお、各開放について開放時間（例えば２９秒）が決められ、入賞数が所定個に達しなくても開放時間が経過すると大入賞口は閉成する。
【０００５】
このようなパチンコ遊技機、あるいは、メダルを使用して遊技を行うスロットマシーン等の各種遊技機では、各種装置、基板、あるいは、電源等の間を配線で電気的に接続する必要がある。遊技機内で使用される配線は、まとまりよく遊技機内、あるいは、遊技機背面に収容するため、適宜箇所で固定されることがある。
【０００６】
特許文献１には、遊技機に設けられた電気配線におけるノイズの除去、並びに、電気配線の断線、機内の部材の破損を防止するため、電気配線の引き回し経路を規定する配線整理部に、電気配線を取り囲むノイズ除去の軟磁性体含有部材を設けた遊技機が開示されている。
【先行技術文献】
【特許文献】
【０００７】
【特許文献１】特開２０１０−２２０９５９号公報
【発明の概要】
【発明が解決しようとする課題】
【０００８】
特許文献１の遊技機によれば、従来、電気配線の適宜箇所にぶら下げていた軟磁性体含有部材を電気配線の引き回し経路を規定する配線整理部と兼用することで、電気配線の断線等を抑制することが可能である。ところで、遊技機内では、役物等の可動部の動作によって電気配線自身が移動する場合、あるいは、遊技機の製造時において電気配線を移動する場合がある。特許文献１の遊技機において、電気配線を移動させた場合、電気配線は、配線整理部の端部付近の１箇所で曲げられることになり、曲げられた箇所に負荷が集中することが考えられる。このような負荷の集中は、電気配線の断線に繋がる場合があり、遊技機の動作に支障を生じさせることになる。
【０００９】
本発明は、このような遊技機の電気配線（以下、配線という）の状況を鑑みたものであって、遊技機の配線を固定する際、配線が移動した場合に、配線にかかる負荷を分散し、断線等の支障を抑制することを目的としている。
【課題を解決するための手段】
【００１０】
本発明の第１の手段（請求項１）に係る遊技機（例えば、図１のパチンコ遊技機１）は、以下の構成を有するものである。
配線固定手段（例えば、図２のベース３、結束部材４、あるいは、図８のベース３、結束部３５）で配線（例えば、図２の配線２３０）を固定する遊技機において、
前記配線固定手段は、前記配線を第１の方向（例えば、図４（Ａ）に示すＹ軸正の方向）に移動させた場合、前記配線の第１の箇所（例えば、図４（Ａ）の矢印Ａが示す先端箇所）で曲がるようにし、前記配線を第２の方向（例えば、図４（Ｂ）に示すＹ軸負の方向）に移動させた場合、前記配線の第２の箇所（例えば、図４（Ｂ）の矢印Ｂが示す先端箇所）で曲がるようにしたことを特徴とする。
【００１１】
本発明の第１の手段に係る遊技機によれば、第１の方向に配線を移動させた場合、配線を第１の箇所で曲がるようにし、第１の方向と異なる第２の方向に配線を移動させた場合、第１の箇所とは異なる第２の箇所で曲がるようにしたことで、配線の移動に伴って配線自身にかかる負荷を分散し、断線等の支障抑制を図ることが可能となる。
【００１２】
さらに本発明の第２の手段（請求項２）に係る遊技機は、第１の手段に係る遊技機において、
前記配線固定手段は、固定部（例えば、図２の結束部材４）と、配線座（例えば、図２のベース３）と、を有し、
前記固定部は、前記配線座に前記配線を固定し、
前記配線座の前記配線が延在する方向（例えば、図２のＺ軸方向）の寸法は、前記固定部の前記配線が延在する方向の寸法よりも大きいことを特徴とする。
【００１３】
本発明の第２の手段に係る遊技機によれば、配線固定手段の具体の一例として、固定部と配線座を使用することで、容易かつ安価に、配線にかかる負荷を分散した形態で配線を固定することが可能となる。
【００１４】
さらに本発明の第３の手段（請求項３）に係る遊技機は、第２の手段に係る遊技機において、前記配線座は、複数の前記固定部（例えば、図５の結束部材４ａ、４ｂ）で固定されることを特徴とする。
【００１５】
本発明の第３の手段に係る遊技機によれば、複数の固定部で配線を固定することで、長い距離にわたって配線をしっかりと固定することが可能となる。
【００１６】
さらに本発明の第４の手段（請求項４）に係る遊技機は、第２または第３の手段に係る遊技機において、前記配線座の端部は、面取りされている（例えば、図６の面取り部３１ａ、３１ｂが設けられている）ことを特徴とする。
【００１７】
本発明の第４の手段に係る遊技機によれば、配線座の端部を面取りしたことで、面取りされた方向に配線を曲げたとき、配線にかかる負荷を緩和することが可能となる。
【００１８】
さらに本発明の第５の手段（請求項５）に係る遊技機は、第２から第４の何れか１つの手段に係る遊技機において、前記配線座は、前記配線を配置するための収容部（例えば、配線収容部３１）を有することを特徴とする。
【００１９】
本発明の第５の手段に係る遊技機によれば、収容部を設けることで、配線を所定の方向に揃えた状態で固定可能とし、配線の取り回しの良好化を図ることが可能となる。
【００２０】
さらに本発明の第６の手段（請求項６）に係る遊技機は、第２から第５の何れか１つの手段に係る遊技機において、
前記配線座から前記配線が延在する領域において、前記配線を配置するための補助収容部（例えば、図７の補助配線収容部３４）を有する補助配線座（例えば、図７の補助ベース３３）が設けられていることを特徴とする。
【００２１】
本発明の第６の手段に係る遊技機によれば、固定された配線を、不適切に撓まない状態で、かつ、所定方向にガイドすることが可能となる。また、配線の固定時においても、配線を適切な方向にガイドし、その固定を容易に行うことが可能となる。
【図面の簡単な説明】
【００２２】
【図１】本実施形態に係るパチンコ遊技機の背面図
【図２】本実施形態に係る配線固定手段を説明するための斜視図
【図３】本実施形態に係る配線固定手段の側面図、断面図
【図４】本実施形態に係る配線固定手段の配線移動を説明するための側面図
【図５】他の実施形態に係る配線固定手段の側面図
【図６】他の実施形態に係る配線固定手段の配線移動を説明するための側面図
【図７】他の実施形態に係る配線固定手段を説明するための斜視図
【図８】他の実施形態に係る配線固定手段の斜視図、断面図
【図９】他の実施形態に係る配線固定手段の斜視図、断面図
【発明を実施するための形態】
【００２３】
図１はパチンコ遊技機１の背面図である。図１に示すように、パチンコ遊技機１の背面側、つまり、遊技機用枠２の背面上部には、遊技場に設置される遊技島（図示略）から供給される遊技球を受ける球タンク１５０が設けられている。球タンク１５０に供給された遊技球は、補給通路１５１を流下して左側の払出装置１５２に供給される。払出装置１５２から払い出された遊技球は、賞球通路１５３を流下してパチンコ遊技機１の前面に設けられた打球供給皿に誘導される。また、遊技機用枠２の背面における補給通路１５１の上方には、各種情報をパチンコ遊技機１の外部に出力するための各端子を備えたターミナル基板１５４が設置されている。ターミナル基板１５４には、例えば、情報出力信号（セキュリティ信号、遊技機エラー状態信号等）を外部出力するための情報出力端子が設けられている。
【００２４】
外枠２００は、四角枠状に形成されており、該外枠２００の下部には、幕板２１４が設けられている。外枠２００には、遊技機用枠２が右側辺を中心として外枠２００を閉鎖する閉鎖位置と外枠２００を開放する開放位置との間で回動可能に支持されており、遊技機用枠２が閉鎖位置にあるときに、遊技機用枠２と幕板２１４とにより開口が閉鎖されるようになっている。
【００２５】
パチンコ遊技機１の背面下部には、演出制御基板１２が収納された演出制御基板ケース１２Ａが取付けられている。演出制御基板１２には、配線２３０の一端が接続されている。この配線２３０は、遊技機用枠２の下部に形成された挿通口２１５を介して遊技機用枠２の背面側に延設され、該配線２３０の他端は、主基板１１やスクリーン用モータ等を含む各種基板及び演出用電子部品にそれぞれ接続されている。尚、本実施例では、演出制御基板１２を開閉扉枠５０の背面下部に設けた形態を例示したが、本発明はこれに限定されるものではなく、カバー体２２０の背面以外であれば、その他の部分に演出制御基板１２を配置するようにしても良い。
【００２６】
このようにパチンコ遊技機１等の遊技機では、各種基板間の通信、基板等に対する電源供給のために配線２３０が用いられている。パチンコ遊技機１では、遊技機用枠２の開閉、あるいは、演出に使用される役物の移動、稼働に伴って、配線２３０が移動することが考えられる。配線２３０の頻繁な移動は、配線２３０に対する負荷となり、断線の原因となることが考えられる。配線２３０が断線した場合、パチンコ遊技機１の動作に不具合を生じさせるため、なるべく避ける必要がある。また、パチンコ遊技機１の稼働時のみならず、パチンコ遊技機１の組み立て時においても配線に対する負荷は抑えることが好ましい。
【００２７】
本発明は、このような事情を鑑みたものであって、パチンコ遊技機１の稼働時、あるいは、組み立て時などで発生する配線２３０に対する負荷を抑制し、配線２３０の断線などの不具合を軽減することを目的とするものである。
【００２８】
図２は、本実施形態に係る配線固定手段を説明するための斜視図である。本実施形態の配線固定手段は、ベース３（本発明における「配線座」）、結束部材４（本発明における「固定部」）を有して構成されている。図２の左下には、配線固定手段の座標系が規定されている。ベース３は、基板等、パチンコ遊技機１に設けられた部材であって、本実施形態では、所定方向（この場合、Ｚ軸方向）に配線を収容可能な凹部である配線収容部３１が形成されている。また、結束部材４は、インシュロック（登録商標）とも呼ばれる部材であり、バンド部４１とヘッド４２を有して構成されている。ヘッド４２には、バンド部４１を挿入して固定するための貫通孔４２ａが設けられている。バンド部４１に形成されている突起（図示せず）によって、バンド部４１は貫通孔４２ａを挿入する方向のみに移動可能でとなっている。
【００２９】
また、ベース３の両脇には２つの固定用孔３２ａ、３２ｂが設けられている。図２では、複数本の配線２３０からなる配線束を固定する場合について説明するが、配線２３０は必ずしも複数本である必要は無く、１本であってもよい。複数本の配線２３０からなる配線束をベース３に固定する場合、まず、配線収容部３１の凹部形状に沿わせて配線束をベース３上に載置する。そして、破線で示すように、配線２３０とベース３を囲んだ状態で、結束部材４を、２つの固定用孔３２ａ、３２ｂに通す。そして、バンド部４１を貫通孔４２ａに通して引っ張ることで、複数の配線２３０で形成された配線束がベース３上に固定される。なお、配線束の固定後、配線束の周囲を囲う部分以外のバンド部４１は、切断してもよい。
【００３０】
図３（Ａ）は、本実施形態に係る配線固定手段の側面図であり、図３（Ｂ）は、本実施形態に係る配線固定手段の断面図である。これら側面図、断面図に示されるように複数の配線２３０からなる配線束は、配線収容部３１内に収容された状態で、結束部材４によってベース３上に固定される。配線収容部３１は、所定の方向（この場合、Ｚ軸方向）を向くように配線束を位置させることが可能となっている。また、配線２３０（配線束）は、配線収容部３１によって適切な方向、すなわち、配線収容部３１の向きによって予め定められる方向にガイドされるため、配線２３０（配線束）の取り回しも良好となる。また、本実施形態では、ベース３と固定用孔３２ａ、３２ｂの間に、間隙が形成されているため、バンド部４１の曲がり角度を緩やかなものとし、バンド部４１の局所に負荷がかかること抑制している。したがって、結束部材４の結束に伴う局所的な負荷により、バンド部４１の破断も抑制可能となっている。
【００３１】
また、本実施形態の配線固定手段では、ベース３と結束部材４のバンド部４１の寸法の関係において、配線２３０の移動時において配線２３０にかかる負荷を軽減することが可能となっている。図４は、本実施形態に係る配線固定手段の配線移動を説明するための側面図である。ここでは、説明を簡単にするため１本の配線２３０を固定する場合について説明する。
【００３２】
配線２３０は、金属製の導通部をビニル等、柔軟性を有する部材で覆われた、自身も柔軟性を有する部材である。そのため、固定されていない箇所は自在に移動することが可能となっている。特に、パチンコ遊技機１では、稼働時における役物の移動によって配線２３０が移動する、あるいは、組み立て時において配線２３０の移動することが考えられる。このような配線２３０の移動は、配線２３０の断線に繋がることも考えられる。
【００３３】
本実施形態では、配線２３０が第１の方向と第２の方向に移動する場合で、配線にかかる負荷の位置を異ならしめ、配線２３０が断線することを抑制している。図４（Ａ）は、配線２３０が第１の方向（この場合、Ｙ軸正の方向）に移動した場合を示している。なお、第１の方向は、配線収容部３１の底面を基準面Ｓと設定した場合、それよりもＹ軸正の方向に移動する場合である。図４（Ａ）に示すように、役物の稼働等によって配線２３０が第１の方向に移動した場合、矢印Ａの先端位置、すなわち、結束部材４が設けられている位置で配線２３０に対する負荷が生じることになる。
【００３４】
図４（Ｂ）は、配線２３０が第２の方向（この場合、Ｙ軸負の方向）に移動した場合を示している。なお、第２の方向は、第１の方向とは反対方向であって、基準面ＳよりもＹ軸負の方向に移動する場合である。図４（Ｂ）に示すように、役物の稼働等によって配線２３０が第２の方向に移動した場合、矢印Ｂの先端位置、すなわち、ベース３の端部位置で配線２３０に対する負荷が生じることになる。
【００３５】
このように本実施形態では、ベース３（本発明における「配線座」）の配線２３０が延在する方向（この場合、Ｚ軸方向）において、ベース３の寸法を、結束部材４（本発明における「固定部」）の寸法よりも大きくしたことで、配線２３０が第１の方向、第２の方向に曲げられたとき、配線２３０上の異なる位置に負荷を生じさせ、配線２３０の断線を抑制することを可能としている。なお、配線２３０の断線とは、配線２３０が分断する形態のみならず、配線２３０内の金属製の導通部が非導通状態となることを含むものである。
【００３６】
パチンコ遊技機１内において、役物等の可動部に対して配線２３０を接続する場合、可動部が配線２３０を第１の方向、第２の方向に跨がって移動するようにしておくことが好ましい。役物等の可動部が移動を繰り返した場合、図４（Ａ）の状態、図４（Ｂ）の状態を繰り返すことで、配線２３０の１箇所に負荷が集中することを抑制することが可能である。なお、図４では、配線２３０の右側の移動について説明したが、配線２３０の左側について配線２３０を移動させた場合においても同様の効果を有するものである。
【００３７】
図５は、他の実施形態に係る配線固定手段の側面図である。図４では、１つのベース３上、１つの結束部材４で配線２３０を固定していたのに対し、図５の実施形態では、１つのベース３上、２つの結束部材４ａ、４ｂで配線２３０を固定した形態となっている。このように、複数の結束部材４ａ、４ｂで配線２３０を固定することで、長い距離にわたって配線２３０をしっかりと固定することが可能となっている。また、ベース３の左側については、第１の方向に配線２３０を曲げたとき結束部材４ａの左側で配線に負荷を生じさせ、第２の方向に配線２３０を曲げたときベース３の左端部にて配線に負荷を生じさせ、負荷の分散を図っている。同様に、ベース右の左側については、第１の方向に配線２３０を曲げたとき結束部材４ｂの右側で配線に負荷を生じさせ、第２の方向に配線２３０を曲げたときベース３の右端部にて配線に負荷を生じさせ、負荷の分散を図っている。このような実施形態では、ベース３上、配線２３０の位置を規定する配線収容部３１は、直線状のみならず、屈曲した形態とすることも可能である。
【００３８】
図６は、他の実施形態に係る配線固定手段の配線移動を説明するための側面図である。本実施形態では、ベース３に形成されている配線収容部３１の両端に面取り部３１ａ、３１ｂを形成した形態となっている。このような形態では、配線２３０を第２の方向（Ｙ軸負の方向）に曲げたとき、ベース３の端部によって、配線２３０にかかる負荷を緩和することが可能である。図６は、配線収容部３１の両端を所定の曲率半径で面取り（Ｒ面取り）した形態であり、配線２３０の右側を、第２の方向に曲げた状態が示されている。なお、面取りの形態は、このようなＲ面取りのみならず、直線上の面取りであるＣ面取り等、各種形態を採用することが可能である。
【００３９】
図７は、他の実施形態に係る配線固定手段を説明するための斜視図である。図７（Ａ）は、配線２３０を固定する前の状態であり、図７（Ｂ）は、複数の配線２３０で構成された配線束を固定した状態である。ベース３、固定用孔３２ａ、３２ｂ、結束部材４については、図２、図３で説明した実施形態と同様である。本実施形態は、これらベース３、固定用孔３２ａ、３２ｂ、結束部材４に加え、固定する配線２３０（この場合、配線束）を沿わせるための補助ベース３３（本発明における「補助配線座」）が設けられている。補助ベース３３は、ベース３の近傍に設けられ、図７（Ｂ）に示されるように固定された配線２３０（この場合、配線束）をガイドする。補助ベース３３には、ベース３に形成されている配線収容部３１と略同じ形状の補助配線収容部３４が設けられている。また、補助配線収容部３４は、配線収容部３１に配置された配線２３０が延在する領域に設けられる。特に、配線収容部３１に収容された配線２３０と、補助配線収容部３４に収容された配線２３０が同軸上に位置する関係となるように設けることが、配線２３０を適切に固定する上で好ましい。
【００４０】
ベース３と補助ベース３３の間の距離は、固定対象となる配線２３０の太さに応じて設定することが好ましい。例えば、ベース３と補助ベース３３の間の距離は、固定対象となる配線２３０の太さの３倍から３０倍以内とすることで、固定された配線２３０を、不適切に撓まない状態で、かつ、所定方向にガイドすることが可能となる。なお、配線２３０を固定する際にも、補助配線収容部３４は好適に機能する。具体的には、配線２３０が配線収容部３１と補助配線収容部３４の両方でガイドされるため、結束部材４による配線２３０の固定を容易に行うことが可能となる。
【００４１】
以上、説明した実施形態では、配線固定手段は、ベース３、結束部材４を有して、構成されているが、結束部材４の機能、即ち、配線２３０をベース３上に固定する機能は、ベース３と一体に形成することも可能である。図８（Ａ）は、他の実施形態に係る配線固定手段の斜視図であり、図８（Ｂ）は、他の実施形態に係る配線固定手段の断面図である。
【００４２】
この実施形態では、ベース３の上部に、配線２３０を固定する機能としての結束部３５が一体に形成されている。ベース３、結束部３５は、プラスチック等の可撓性を有する部材を有して形成され、結束部３５が上方（Ｙ軸正の方向）に撓むことで、配線収容部３１内に配線２３０（この場合、複数の配線２３０からなる配線束）を収容可能としている。この場合も、ベース３（本発明における「配線座」）の配線２３０が延在する方向（この場合、Ｚ軸方向）において、ベース３の寸法を、結束部３５（本発明における「固定部」）の寸法よりも大きくしたことで、配線２３０が第１の方向、第２の方向に曲げられたとき、配線２３０上の異なる位置に負荷を生じさせ、配線２３０の断線を抑制することが可能である。
【００４３】
図９（Ａ）は、他の実施形態に係る配線固定手段の斜視図であり、図９（Ｂ）は、他の実施形態に係る配線固定手段の断面図である。図２、図３で説明した実施形態では、ベース３と固定用孔３２ａ、３２ｂの間に、間隙を形成することで、バンド部４１の曲がり角度を緩やかなものとし、バンド部４１の局所に負荷がかかること抑制していた。一方、図９に示す実施形態では、ベース３の側面のすぐそばに固定用孔３２ａ、３２ｂを形成した形態となっている。このような形態では、図９（Ｂ）の断面図に示されるように、バンド部４１は、ベース３の周囲を直接囲む状態となる。したがって、バンド部４１の曲がり角度は、図２、図３の実施形態と比較して急峻となるが、よりコンパクトな形態で配線２３０を固定することが可能となる。
【００４４】
以上、本実施形態の配線固定手段を有するパチンコ遊技機１について説明を行ったが、配線固定手段は、パチンコ遊技機１のみならず、メダルを使用して遊技を行うスロットマシーン等、各種遊技機において、配線を固定する手段として採用することが可能である。特に、本実施形態の配線固定手段は、配線が第１の方向に曲げられたときと、第２の方向に曲げられたときとで、配線にかかる負荷の位置が変化するため、断線等の障害抑制に有効である。
【符号の説明】
【００４５】
１：パチンコ遊技機                       ４２：ヘッド
２：遊技機用枠                           ４２ａ：貫通孔
３：ベース                               ５０：開閉扉枠
４（４ａ、４ｂ）：結束部材               １５０：球タンク
１１：主基板                             １５１：補給通路
１２：演出制御基板                       １５２：払出装置
１２Ａ：演出制御基板ケース               １５３：賞球通路
３１：配線収容部                         １５４：ターミナル基板
３１ａ、３１ｂ：面取り部                 ２００：外枠
３２ａ、３２ｂ：固定用孔                 ２１４：幕板
３３：補助ベース                         ２１５：挿通口
３４：補助配線収容部                     ２２０：カバー体
３５：結束部                             ２３０：配線
４１：バンド部
【図１】
2018186851.tif 000003
【図２】
2018186851.tif 000004
【図３】
2018186851.tif 000005
【図４】
2018186851.tif 000006
【図５】
2018186851.tif 000007
【図６】
2018186851.tif 000008
【図７】
2018186851.tif 000009
【図８】
2018186851.tif 000010
【図９】
2018186851.tif 000011